(57)【要約】【課題】空気の攪拌による冷却効果向上の効果が得られ、小型化にも有利な光ピックアップを提供する。【解決手段】対物レンズ１と対物レンズ１を支持する支持部材３とを含み、対物レンズ１と情報記録媒体７との相対位置を制御する光ピックアップであって、支持部材３は、対物レンズ１の光軸から遠ざかるように突出した複数の突出部６を形成しており、支持部材３が情報記録媒体７の直径方向に移動する方向を長さ方向とすると、複数の突出部６の少なくとも一つは、長さ方向において、情報記録媒体７の中心に向かうにつれて情報記録媒体７から遠ざかるように傾斜している傾斜面６ａを備えている。【選択図】図３
2009134798.tif 000002
【特許請求の範囲】
【請求項１】
対物レンズと前記対物レンズを支持する支持部材とを含み、前記対物レンズと情報記録媒体との相対位置を制御する光ピックアップであって、
前記支持部材は、前記対物レンズの光軸から遠ざかるように突出した複数の突出部を形成しており、
前記支持部材が前記情報記録媒体の直径方向に移動する方向を長さ方向とすると、
前記複数の突出部の少なくとも一つは、前記長さ方向において、前記情報記録媒体の中心に向かうにつれて前記情報記録媒体から遠ざかるように傾斜している傾斜面を備えていることを特徴とする光ピックアップ装置。
【請求項２】
前記傾斜面は、前記傾斜面の傾斜のうち前記長さ方向における傾斜の傾斜方向に伸びた線、及び前記長さ方向と直交する幅方向に伸びた線の双方の線を含む面に対しても傾斜している請求項１に記載の光ピックアップ装置。
【請求項３】
前記突出部は、板状部材を切り起こして形成している請求項１又は２に記載の光ピックアップ装置。
【発明の詳細な説明】
【技術分野】
【０００１】
本発明は、光学式記録再生装置に用いられる光ピックアップ装置に関する。
【背景技術】
【０００２】
ＣＤ、ＤＶＤ等の光ディスク記録媒体に記録された情報の読み取り、又は光ディスク記録媒体への記録のために、従来から対物レンズと光ディスクとの相対位置をコイルとマグネットから構成された電磁アクチュエータにより制御する光ピックアップが一般的に用いられている。
【０００３】
この光ピックアップは、プラスチックで形成された対物レンズとこれを保持するレンズホルダとを備えている。このレンズホルダは、対物レンズをフォーカス方向に駆動するためのフォーカスコイルと、トラッキング方向に駆動するトラッキングコイルとを設けている。このような光ピックアップは、例えば４本のワイヤにより片持ち支持された構成となっている。
【０００４】
近年、光ピックアップは益々小形化され集積化される傾向にあり、対物レンズは発熱源であるフォーカスコイルおよびトラッキングに近接して配置される。また記録・再生の高倍速化も進展し、フォーカスコイルおよびトラッキングコイルに通電する駆動電流が増加する傾向にある。
【０００５】
これらのコイルからの発熱によりレンズホルダが加熱され、対物レンズの温度が上昇する。この場合、対物レンズには、これらコイルに近い側の温度上昇が、遠い側の温度上昇に比べて高くなるという温度分布が生じる。その結果、熱膨張率の高いプラスチックで形成された対物レンズは、容易に肉厚が変化し、軸非対称の熱変形を起し、コマ収差、球面収差、アス収差が増加するという問題があった。
【０００６】
対物レンズの温度上昇を抑えるレンズホルダの一例を図７、８に示している。図７は、従来のレンズホルダの一例の斜視図を示している。図８は、図７に示したレンズホルダの側面図であり、スピンドルモータにより回転するディスクとの位置関係も示している。図７において、対物レンズ２１はレンズホルダ２０に支持されている。レンズホルダ２０には、磁界発生手段であるコイル基板２２a及びコイル基板２２ｂが保持されている。レンズホルダ２０の側面には突出部２３が設けられている。
【０００７】
図８において、スピンドルモータ２４によりディスク２５が回転し、ディスク２５の周辺に空気の対流が生じる。この対流により、ディスク２５からレンズホルダ２０に向かう空気の流れが生じる。この空気が突出部２３に当たり、突出部２３の放熱効果が高められ、レンズホルダ２０に支持された対物レンズ２１の熱交換も高まることになる。
【０００８】
また、対物レンズの温度上昇を抑える別の例として、特許文献１に提案された光ピックアップがある。この光ピックアップは、プラスチックレンズの下側にかつそれに接触するように厚さが一定の円環状に形成された例えばベリリウム鋼合金のような熱伝導率の高い部材を配置することにより、プラスチックレンズの温度勾配を低減し、これに起因する各種収差を低減するというものである。
【特許文献１】特開平１１−１７６００９号公報
【発明の開示】
【発明が解決しようとする課題】
【０００９】
しかしながら、図７、８に示したレンズホルダの構成では、突出部２３とデイスク２５の面とが平行になっている。この構成では、レンズホルダ２０がトラッキング方向（矢印ａ、ｂ方向）に駆動されても、突出部２３近傍の空気の攪拌による対流が生じにくく、効率的なレンズホルダの冷却はできなかった。
【００１０】
また、特許文献１の構成では、光ピックアップアクチュエータの可動部である対物レンズ及びコイルを搭載したレンズホルダは、環状部材により重量が重くなる。この重量増加分の推力を稼ぐために駆動電流が増加し、その結果コイルの発熱量が増加するという問題があった。また、環状部材追加によりコストが増加するとともに、光ピックアップの組立て工数も増加する。
【００１１】
本発明は、前記のような従来の問題を解決するものであり、空気の攪拌による冷却効果向上の効果が得られ、小型化にも有利な光ピックアップを提供することを目的とする。
【課題を解決するための手段】
【００１２】
前記目的を達成するために、本発明の光ピックアップ装置は、対物レンズと前記対物レンズを支持する支持部材とを含み、前記対物レンズと情報記録媒体との相対位置を制御する光ピックアップであって、前記支持部材は、前記対物レンズの光軸から遠ざかるように突出した複数の突出部を形成しており、前記支持部材が前記情報記録媒体の直径方向に移動する方向を長さ方向とすると、前記複数の突出部の少なくとも一つは、前記長さ方向において、前記情報記録媒体の中心に向かうにつれて前記情報記録媒体から遠ざかるように傾斜している傾斜面を備えていることを特徴とする。
【発明の効果】
【００１３】
本発明の光ピックアップ装置は、空気の攪拌による冷却効果向上の効果が得られ、小型化にも有利になる。
【発明を実施するための最良の形態】
【００１４】
本発明の光ピックアップ装置によれば、対物レンズを支持する支持部材が傾斜面のある突出部を備えているので、突出部に当たった空気を攪拌でき、空気の攪拌による冷却効果向上の効果が得られる。このことにより、放熱面積を大きくすることなく、冷却効果を向上させることができるので、小型化にも有利になる。
【００１５】
前記本発明の光ピックアップ装置においては、前記傾斜面は、前記傾斜面の傾斜のうち前記長さ方向における傾斜の傾斜方向に伸びた線、及び前記長さ方向と直交する幅方向に伸びた線の双方の線を含む面に対しても傾斜していることが好ましい。この構成によれば、突出部の高さを大きくすることなく、冷却効果を向上させることができるので、小型化により有利になる。
【００１６】
また、前記突出部は、板状部材を切り起こして形成していることが好ましい。この構成によれば、剛性の低い材料を利用することができ、個々の突出部をそれぞれ別個に追加する必要がなく、簡単な構成で、冷却効果に優れ、小型化に有利な放熱構造を実現することが可能となる。
【００１７】
以下、本発明の一実施形態について図面を参照しながら説明する。
【００１８】
（実施の形態１）
図１は、本発明の実施の形態１に係る光ピックアップ装置１０の平面図である。本図に示した光ピックアップ装置１０は、対物レンズ１を備えており、対物レンズ１は支持部材であるレンズホルダ３に支持されている。レンズホルダ３には、磁界発生手段であるコイル基板２a及びコイル基板２ｂが保持されている。対物レンズ１は、ＰＭＭＡ等のプラスチックで形成でき、レンズホルダ３は、液晶ポリマー樹脂等で射出成形することができる。
【００１９】
コイル基板２a、２ｂは、レンズホルダ３を駆動させるためのものである。レンズホルダ３の駆動により、レンズホルダ３に支持された対物レンズ１も駆動され、対物レンズ１と情報記録媒体であるディスクとの相対位置を制御することができる。コイル基板２a、２ｂは、レンズホルダ３と一体の対物レンズ１を、フォーカス及びトラッキング方向へ駆動させるためのコイル配線パターンをプリント配線板に一体に積層形成したものである。
【００２０】
４a、４ｂは、駆動磁気回路のマグネットである。５a、５ｂ、５ｃ、５ｄは、コイル基板２a、２ｂに電流を供給し、かつレンズホルダ３を弾性支持するサスペンションワイヤである。この４本のサスペンションワイヤ５a−５ｄにより、レンズホルダ３は片持ちで支持されている。
【００２１】
対物レンズ１を駆動するためには、コイル基板２a、２ｂに電流を供給する必要がある。この場合、電流が流れたことにより、コイル基板２a、２ｂのコイルが発熱する。この熱は対物レンズ１に伝熱され、対物レンズ１の温度が上昇する。この温度上昇を抑えるために、レンズホルダ３に突出部６を設けている。突出部６について、図２、３を参照しながら具体的に説明する。
【００２２】
図２は、図１に示したレンズホルダ３の斜視図を示している。図３は、図２に示したレンズホルダ３の側面図であり、スピンドルモータ８により回転するディスク７との位置関係も示している。突出部６は、対物レンズ１の光軸１ａから遠ざかるように突出している。各突出部６は、ディスク７に対向する傾斜面６ａを備えている。
【００２３】
図３において、コイル基板２a、２ｂを取り付けたレンズホルダ３は、基台（図示せず）上に搭載され、ガイドレール（図示せず）に沿って、ディスク７の直径方向に移動する。この移動方向をレンズホルダ３の長さ方向（矢印Ａ方向）とすると、長さ方向において、傾斜面６ａは、ディスク７の中心に向かうにつれて、ディスク７から遠ざかるように傾斜している。
【００２４】
ここで、ディスク７の回転により、ディスク７の周辺に空気の対流が生じる。この対流により、図３の矢印９で示したように、ディスク７の外周側に向かいつつ、ディスク７から遠ざかるように移動する空気の流れが生じる。この対流する空気は、各突出部６に当たり、レンズホルダ３の冷却に寄与することになる。
【００２５】
さらに、レンズホルダ３が、トラッキング方向（矢印ａ、ｂ方向）駆動されているときは、傾斜面６ａに当たった空気は、レンズホルダ３が矢印ｂ方向に移動すると、傾斜面６ａに当たった空気も矢印ｂ方向に移動する。一方、レンズホルダ３が矢印ａ方向に移動すると、傾斜面６ａに当たった空気は、押し戻されるように、矢印ａ方向に移動する。
【００２６】
トラッキング制御により、レンズホルダ３が矢印ａ方向と矢印ｂ方向との移動を交互に繰り返すと、いったん傾斜面６ａに当たった空気が押し戻され再び傾斜面６ａに当たるという動きが生じることになる。すなわち、傾斜面６ａの近傍において空気が攪拌されることになり、放熱面積を増加したのと同様の冷却効果を得ることができる。
【００２７】
次に、レンズホルダ３が、フォーカス方向（矢印ｃ、ｄ方向）に駆動されているときは、傾斜面６ａに当たった空気は、レンズホルダ３が矢印ｄ方向に移動すると、傾斜面６ａに当たった空気も矢印ｄ方向に移動する。一方、レンズホルダ３が矢印ｃ方向に移動すると、傾斜面６ａに当たった空気は、押し戻されるように、矢印ｃ方向に移動する。
【００２８】
フォーカス制御により、レンズホルダ３が矢印ｃ方向と矢印ｄ方向との移動を交互に繰り返すと、いったん傾斜面６ａに当たった空気が押し戻され再び傾斜面６ａに当たるという動きが生じることになる。すなわち、傾斜面６ａの近傍において空気が攪拌されることになり、放熱面積を増加したのと同様の冷却効果を得ることができる。
【００２９】
これに対し、図７、８に示した構成においては、突出部２３の面は水平面である。このため、レンズホルダ２３がトラッキング方向に駆動され、矢印ａ方向と矢印ｂ方向の移動を繰り返しても、突出部２３に当った空気を押し戻すような効果は得られない。したがって、突出部２３近傍の空気を攪拌させる効果は、ほとんど発揮できない。
【００３０】
本実施の形態によれば、前記の通り、レンズホルダ３がトラッキング方向、フォーカス方向のいずれに駆動されている場合においても、空気の攪拌による冷却効果向上の効果が得られる。また、放熱面積を大きくすることなく、冷却効果を向上させることができるので、小型化にも有利になる。
【００３１】
（実施の形態２）
図４は、実施の形態２に係るレンズホルダ３の斜視図を示している。図５は、図４のＣ矢視図である。図５に示したレンズホルダ３は、傾斜面６ａの傾斜の仕様を除き、図２の構成と同じである。このため、図４においても、図２と同一番号の符号を付して、重複した説明は省略する。
【００３２】
図４において、突出部６の傾斜面６ａは、レンズホルダ３の長さ方向（矢印Ａ方向）において、ディスク７の中心に向かうにつれてディスク７から遠ざかるように傾斜している。この構成は、実施の形態１の図２の構成と同様である。本実施の形態では、傾斜面６ａは、傾斜面６ａの傾斜のうち長さ方向（矢印Ａ方向）における傾斜の傾斜方向に伸びた線１１、及びレンズホルダ３の長さ方向（矢印Ａ方向）と直交する幅方向（矢印Ｂ方向）に伸びた線１２の双方の線を含む面１３に対しても傾斜している。
【００３３】
このことにより、図５に示したように、傾斜面６ａは、面１３に比べ、高さｈが同一高さであっても、空気との接触面積を大きくすることができる。すなわち、本実施の形態によれば、突出部の高さを大きくすることなく、冷却効果を向上させることができるので、小型化により有利になる。
【００３４】
（実施の形態３）
図６は、実施の形態３に係るレンズホルダを示している。図６（ａ）は、側面図であり、図６（ｂ）は斜視図である。突出部１４は、材質がＦＰＣ(Flexible Printed Circuit）の板状部材を、切り起こして形成したものである。
【００３５】
突出部１４の傾斜は、前記実施の形態２の図４の突出部６の傾斜と同様である。すなわち、図６における個々の突出部１４は、図４の突出部６の長さを短くしたものに相当する。したがって、本実施の形態の突出部１４についても、実施の形態２の図４の突出部６と同様の効果が得られる。また、突出部１４を切り起こす際の角度調整により、突出部１４を実施の形態１の図２に示したような傾斜の突出部６と同様の傾斜の突出部としてもよい。
【００３６】
本実施の形態によれば、剛性の低い材料を利用することができ、個々の突出部１４をそれぞれ別個に追加する必要がなく、簡単な構成で、前記実施の形態１、２と同様に、冷却効果に優れ、小型化に有利な放熱構造を実現することが可能となる。
【００３７】
なお、前記各実施の形態において、突出部の傾斜面は平面の例で説明したが、曲面を含んだ面でもよい。また、複数の突出部のすべてに傾斜面を備えている必要はなく、一部の突出部が傾斜面を備えている構成でもよい。
【産業上の利用可能性】
【００３８】
本発明によれば、冷却効果を向上させることができ、小型化にも有利な放熱構造を実現できるので、本発明は、特に小型、薄型化、高倍速化を図る光学式記録再生装置に用いられる光ピックアップ装置として有用である。
【図面の簡単な説明】
【００３９】
【図１】本発明の実施の形態１に係る光ピックアップ装置の平面図。
【図２】図１に示したレンズホルダの斜視図。
【図３】図１に示したレンズホルダの側面図。
【図４】本発明の実施の形態２に係る光ピックアップ装置の斜視図。
【図５】図４に示した光ピックアップ装置のＡ矢視図。
【図６】本発明の実施の形態３に係る光ピックアップ装置を示す図であり、（ａ）図は側面図、（ｂ）図は斜視図。
【図７】従来のレンズホルダの一例の斜視図。
【図８】図７に示したレンズホルダ３の側面図。
【符号の説明】
【００４０】
１  対物レンズ
２a，２ｂ  コイル基板
３  レンズホルダ
６，１４  突出部
６a，１４ａ  傾斜面
１０  光ピックアップ装置
１１  傾斜面６ａの傾斜のうち長さ方向における傾斜の傾斜方向に伸びた線
１２  レンズホルダ３の幅方向に伸びた線
１３  線１１及び線１２の双方の線を含む面
【図１】
2009134798.tif 000003
【図２】
2009134798.tif 000004
【図３】
2009134798.tif 000005
【図４】
2009134798.tif 000006
【図５】
2009134798.tif 000007
【図６】
2009134798.tif 000008
【図７】
2009134798.tif 000009
【図８】
2009134798.tif 000010